(57)【要約】  本発明のガス吸着分離装置は、吸着機能モジュール（０１）とその他の機能モジュール（０２）とを含み、吸着機能モジュール（０１）の主な機能部分は、２つ以上の順次配列された吸着ユニット（０９）で構成される吸着シリーズ（０１１）であり、吸着シリーズ（０１１）は先端部（０１１１）及び末端部（０１１２）を含み、分離すべきガスが先端部（０１１１）から末端部（０１１２）への方向に沿って吸着シリーズ（０１１）を通過し、先端部（０１１１）に位置する吸着ユニット（０９）の吸着質ガスに対する吸着飽和度が所定の程度に達すると、吸着シリーズ（０１１）から離脱し、脱着装置（０２１）を含むその他の機能モジュール（０２）に入り、脱着処理を含むその他のプロセス処理を完了した後に末端部（０１１２）から改めて順に吸着シリーズ（０１１）に入り、吸着ユニット（０９）は、吸着剤及び機械支持構造で構成され、適切な機械的強度及び良好な透過性を有する吸着固定床であり、飽和吸着を完了した吸着ユニット（０９）は飽和吸着ユニット（０９１）と称され、脱着再生を完了した吸着ユニット（０９）は再生吸着ユニット（０９２）と称される。【選択図】図7
2021529088.tif 000002
【特許請求の範囲】
【請求項１】
ガス吸着分離装置であって、吸着機能モジュールと、その他の機能モジュールとを含み、前記吸着機能モジュールの主な機能部分は、２つ以上の順次配列された吸着ユニットで構成される吸着シリーズであり、吸着シリーズは先端部及び末端部を含み、分離すべきガスは先端部から末端部への方向に沿って前記吸着シリーズを通過し、先端部に位置する吸着ユニットの、吸着質ガスに対する吸着飽和度が所定の程度に達すると、前記吸着シリーズから離脱して脱着装置を含むその他の機能モジュールに入り、脱着処理を含むその他のプロセス処理を完了した後に末端部から改めて順に前記吸着シリーズに入り、前記吸着ユニットは、吸着剤及び機械支持構造で構成され、適宜な機械的強度及び良好な透過性を有する吸着固定床であり、飽和吸着を完了した前記吸着ユニットは飽和吸着ユニットと称され、脱着再生を完了した前記吸着ユニットは再生吸着ユニットと称されることを特徴とするガス吸着分離装置。
【請求項２】
使用される吸脱着方式は温度スイング吸着、圧力スイング吸着及び温度圧力スイング吸着のうちのいずれか一つであることを特徴とする請求項１に記載のガス吸着分離装置。
【請求項３】
使用される吸脱着方式は温度スイング吸着であり、前記脱着装置の主な機能部分は、２つ以上の順次配列された飽和吸着ユニットで構成される脱着シリーズであり、飽和端部及び再生端部を含み、高温脱着ガスは再生端部から飽和端部への方向に沿って前記脱着シリーズを通過しかつ濃縮吸着質ガスを生成し、飽和吸着ユニットが脱着再生を完了した後に前記脱着シリーズから離脱することを特徴とする請求項２に記載のガス吸着分離装置。
【請求項４】
前記その他の機能モジュールは熱再生装置をさらに含み、前記熱再生装置は、脱着再生を完了した、高温状態にある再生吸着ユニットに含まれる熱量を脱着ガスに伝達することを特徴とする請求項３に記載のガス吸着分離装置。
【請求項５】
前記熱再生装置の主な機能部分は、２つ以上の順次配列された高温再生吸着ユニットで構成される熱再生シリーズであり、高温端及び低温端を含み、脱着を完了した高温熱再生吸着ユニットは高温端から前記熱再生シリーズに加えられ、熱再生ガスは低温端から高温端への方向に沿って前記熱再生シリーズを通過し、加熱された後に前記高温脱着ガスを生成しかつ前記脱着装置に入り、熱交換を完了した低温再生吸着ユニットは低温端において前記熱再生シリーズから離脱することを特徴とする請求項４に記載のガス吸着分離装置。
【請求項６】
各機能モジュールの間における前記吸着ユニットの伝達及び変換は、吸着ユニットを各機能モジュールの間において転移させることができるユニット移動装置によって実行されることを特徴とする請求項１、３、４及び５のいずれか一項に記載のガス吸着分離装置。
【請求項７】
使用される吸脱着方式は温度スイング吸着であり、吸着装置と、脱着装置と、熱再生装置との間における吸着ユニットの変換はパイプラインバルブの開閉及び切り替えによって実現されることを特徴とする請求項１、３、４及び５のいずれか一項に記載のガス吸着分離装置。
【請求項８】
前記吸着装置と、再生装置と、熱回収装置とを構成する吸着ユニットは、グループ化または単独の方式で動力の駆動下で１つの閉じたレールに沿って一方向間欠的運動を行い、吸着床と、再生装置と、熱回収装置とはそれぞれ１つのグループを構成し、グループの変更によって、吸着床と、再生装置と、熱回収装置との間における吸着セグメントの変換を完了することを特徴とする請求項１、３、４及び５のいずれか一項に記載のガス吸着分離装置。
【請求項９】
前記閉じたレールは円形、長円形または角丸三角形のうちのいずれか一つの形状を有することを特徴とする請求項８に記載の煙浄化装置。
【請求項１０】
パイプラインバルブの開閉及び切り替えは、一連の逆止弁及び１組の切り替え弁を含むパイプライン切り替え円盤によって実現されることを特徴とする請求項７に記載のガス吸着分離装置。
【請求項１１】
使用される吸脱着方式は温度圧力スイング吸着であり、前記その他の機能モジュールは循環風加熱装置及び真空脱着装置を含み、吸着装置と、循環風加熱装置と、真空脱着装置との間における吸着ユニットの変換は、一連の逆止弁及び１組の切り替え弁を含むパイプライン切り替え円盤によって実現され、飽和吸着を完了した吸着ユニットは循環風加熱装置及び真空脱着装置による二重作用で脱着を完了することを特徴とする請求項１に記載のガス吸着分離装置。
【請求項１２】
前記その他の機能モジュールは、１つの吸着ユニット貯蔵供給装置及び１つの吸着ユニット回収装置をさらに含み、吸着機能モジュールの動作過程において、吸着ユニット貯蔵供給装置は吸着シリーズの末端部から吸着ユニットを１つずつ加え、吸着ユニット回収装置は吸着シリーズの先端部から飽和吸着ユニットを１つずつ回収して、回収した飽和吸着ユニットを密封貯蔵し、密封貯蔵された飽和吸着ユニットが脱着装置を含むその他の機能モジュール内において脱着処理を含むプロセス処理を完了した後に生成された再生吸着ユニットは、吸着ユニット貯蔵供給装置により収納貯蔵されることを特徴とする請求項１に記載のガス吸着分離装置。
【請求項１３】
吸着濃縮法による高分子コロイド状物を含む煙の処理方法であって、
使用される煙処理装置は、ガスを処理するための吸着床と、吸着剤を再生させるための再生装置とを含み、吸着床を煙の通過する経路に沿って複数の吸着セグメントに分割し、各吸着セグメントは順に連通して、順序に応じて吸着床と再生装置との間では伝達または変換することができ、煙導入部にある吸着セグメントは開始セグメントであり、煙排出部にある吸着セグメントは終了セグメントであり、吸着床の煙導入端部は開始端部であり、吸着床の煙排出端部は終了端部であるＡと、
高分子コロイド状物を含む煙を連続的に吸着床に通過させ、吸着浄化過程を完了した後、煙処理装置から排出させるＢと、
開始セグメントの吸着剤の表面が高分子コロイド状物によってある程度被覆されている場合、該吸着セグメントを吸着装置から離脱させて、再生装置に移行させて脱着処理を行い、それと同時に吸着床の終了端部に、新たな、または再生処理された吸着セグメントを補充するＣと、
通常の温度で、吸着を完了して脱着装置に移行した吸着セグメントを脱着処理し、通常の温度での脱着処理の上に、必要な頻度で炭化再生及び灰化再生を付加して行うＤと、
以上の再生処理を完了した吸着セグメントを改めて吸着床に入れるＥと、の条件およびステップを含むことを特徴とする吸着濃縮法による高分子コロイド状物を含む煙の処理方法。
【請求項１４】
ステップＤとＦとの間にステップＥを増加させ、具体的には、再生ガスを、再生を完了した、高温状態にある吸着セグメントを先に通過させ、その後、ガス加熱装置によって、ガスの温度をステップＤで用いた処理温度まで上昇させて、再生装置に入らせることを特徴とする請求項１３に記載の吸着濃縮法による高分子コロイド状物を含む煙の処理方法。
【発明の詳細な説明】
【関連出願の相互参照】
【０００１】
本出願は、２０１８年７月９日に提出された、中国特許出願第２０１８１０７９４９８０．５号と、２０１８年９月２０日に提出された、中国特許出願第２０１８１１１４４４１４．６号の優先権を主張し、これらの先行出願は、参照によって本明細書に組み込まれている。
【技術分野】
【０００２】
本発明は、ガス吸着分離装置に関し、具体的には、吸着法によって有機排ガスの汚染物質を濃縮する装置およびその具体的な応用に関する。
【背景技術】
【０００３】
吸着法によるガス濃縮技術は、大気中の揮発性有機化合物（ＶＯＣ、本明細書では、有機汚染物質と略称される）の汚染管理の分野において益々幅広く応用されている。一般的なガス吸着分離装置はローター吸着器と再生式固定床吸着器を含む。これらのガス吸着分離装置の設計の最終的な目的は、有機汚染物質の排ガスを可能な限り濃縮して、処理された後に排出された排ガスにおける有機汚染物質の排出濃度が政府により規定されている基準排出濃度以下になるようにすることである。換言すれば、これらの装置の設計目標は、高濃縮比と低排出濃度の二つを含む。
【０００４】
濃縮比を向上させるという観点からは、吸着分離装置ができるだけ多くの有機汚染物質を吸着すべきであり、極端な場合は、全ての吸着剤を飽和吸着に達させることであり、その結果、処理後の排ガスの排出濃度が必然的に基準を大幅に超えてしまい、最悪の場合は、ある領域（ローラ吸着器）またはある時間帯（再生式固定床吸着器）に処理した後の排ガスの濃度は導入された排ガスの濃度と同じである。高濃縮比を追求することの意義は、高濃縮比の有機汚染物質に対してガス濃縮をした後にさらに処理することであり、例えば、酸化破壊のとき、添加せずにこのような低濃度のガスを安定的に燃焼させることができ、直接燃焼、触媒燃焼、蓄熱式燃焼または触媒蓄熱式燃焼を含むがそれらに限定されない。または、液化捕集回収時に、処理すべきガスの容量を減少させることができ、それによって、相当な費用を節約することができる。
【０００５】
排出濃度抑制の観点からは、有機汚染物質を、吸着床を貫通させる前に脱着に移行させ、脱着過程において、できるだけ吸着床を可能な限り完全に脱着させるべきであり、極端な場合は、吸着床における全ての吸着剤を完全に脱着させ、その結果、濃縮比を必然的に大幅に低下させて、濃縮作用が完全になくなるまで至り、ひいては希釈過程となってしまう。脱着過程は、熱力学原理から見ると、吸着質の濃度が指数的に低減する希釈過程であるため、脱着用の有機汚染物質濃度がゼロの清浄空気も汚染空気になる。
【０００６】
実際な使用において、全ての設計スキームは具体的な応用の実際パラメータに基づいて、二つの極端条件の間で折衷し、濃縮比と排出濃度という２つの対立の目標の間では受け入れられる処理結果を実現する。図１はロータ吸着器の機能区画の概略図であり、吸着領域におけるＡからＢまでの円弧線と、脱着領域におけるＣからＤまでの円弧線に沿って吸着床の気流方向において断面の有機汚染物質の濃度の分布をほぼ図２に示す。ロータ吸着器は回転して吸着領域から出る時に、気流の流出側では大部分が飽和に達することができず、脱着領域において、大部分の脱着ガスが通過する領域の飽和度が非常に低い。同様に、再生式固定床吸着器の有機汚染物質は、理想状態で、気流方向と垂直な横断面空間における濃度分布が均一であり、その縦断面において、気流方向と一致する線状領域ごとの時間軸での有機汚染物質の濃度変化の法則も図２に示される法則に従う。
【０００７】
本明細書において、用語「脱着」は業界において脱離とも称され、これらの意味は完全に同じである。
【０００８】
多くの応用場合において、上記ガス吸着分離装置が強く求められている。
【０００９】
例えば、ＶＯＣ排ガス処理分野において、金属鋳造における樹脂モールド鋳込み過程に発生する煙は特殊性を有し、その主な悪影響は、工場内の作業者や周囲環境への悪臭被害である。従来のＶＯＣまたは通常の有機悪臭ガスに対する一般的な処理プロセスにおいて、光触媒、低温プラズマによる除去効率が低く、効果に劣る。悪臭を発生するガス成分は複雑であるため、ロータ吸着器または再生式固定床吸着器の吸着効果がよくない。吸着効果を保証するために、非常に長い吸着過程を採用せざるを得ず、装置の吸着と脱着のコストを顕著に増加させ、また、高分子コロイド状物で被覆されることによって吸着剤が迅速に失効するという問題も存在する。
【００１０】
低温触媒燃焼は高分子コロイド状物を除去しにくく、しかも被覆されて失効しやすく、一方、直接燃焼、蓄熱燃焼法または触媒燃焼を用いる場合、空気の流量が非常に大きく、煙自体に含まれる可燃性ガスの発熱量が非常に低いため、燃料消費は経済的に負担しにくい。また、煙収集パイプラインにおいて燃えやすい凝集物がたまり、高温鋳造体に滴下して突発的な火災を引き起こしやすいなどの問題がさらに存在する。
【００１１】
業界内では、従来の解決方法として、消防を確保する上で燃えやすい凝集物を定期的に燃やして焼却除去することであり、これは、作業中止が必要であり、しかも準備段階で換気装置を除去し、実施時、社会消防人員や装備を用意して予防する必要がある。焼却過程において、不完全燃焼により大量の煙や塵、有機排ガスが発生してしまい、顕著な空気汚染過程となる。
【００１２】
そのため、当業者にとって、上記様々な適用シーンに応用される、高濃縮比と低排出濃度を両立させることができるガス吸着分離装置を開発することが急務になる。
【発明の概要】
【００１３】
本発明により開示されるガス吸着分離装置は、上記２つの目標を追求する矛盾を根本的に解決し、これによってガス吸着分離装置は高濃縮比と低排出濃度を両立させることができる。
【００１４】
本発明の第１態様は、ガス吸着分離装置に関し、吸着機能モジュールと、その他の機能モジュールとを含み、吸着機能モジュールの主な機能部分は、２つ以上の順次配列された吸着ユニットで構成される吸着シリーズであり、吸着シリーズは先端部及び末端部を含み、分離すべきガスは、先端部から末端部への方向に沿って吸着シリーズを通過し、先端部に位置する吸着ユニットの吸着質ガスに対する吸着飽和度が所定の程度に達すると、吸着シリーズから離脱し、脱着装置を含むその他の機能モジュールに入り、脱着処理を含むその他のプロセス処理を完了した後に末端部から改めて順に吸着シリーズに入り、吸着ユニットは、吸着剤及び機械支持構造で構成され、適切な機械的強度及び良好な透過性を有する吸着固定床であり、飽和吸着を完了した吸着ユニットは飽和吸着ユニットとなり、脱着再生を完了した吸着ユニットは再生吸着ユニットとなる。
【００１５】
上記技術的解決手段において、使用される吸脱着方式は温度スイング吸着、圧力スイング吸着及び温度圧力スイング吸着のうちのいずれか一つである。
【００１６】
一つの好ましい実施例において、使用される吸脱着方式は温度スイング吸着であり、脱着装置の主な機能部分は、２つ以上の順次配列された飽和吸着ユニットで構成される脱着シリーズであり、飽和端部及び再生端部を含み、高温脱着ガスは再生端部から飽和端部への方向に沿って脱着シリーズを通過しかつ濃縮吸着質ガスを生成し、飽和吸着ユニットが脱着再生を完了した後に脱着シリーズから離脱する。
【００１７】
さらに好ましくは、その他の機能モジュールは熱再生装置をさらに含み、熱再生装置は、脱着再生を完了した、高温状態にある再生吸着ユニットに含まれる熱量を脱着ガスに伝達する。
【００１８】
具体的には、熱再生装置の主な機能部分は、２つ以上の順次配列された高温再生吸着ユニットで構成される熱再生シリーズであり、高温端及び低温端を含み、脱着を完了した高温熱再生吸着ユニットは高温端から熱再生シリーズに加えられ、熱再生ガスは低温端から高温端への方向に沿って熱再生シリーズを通過し、加熱された後に高温脱着ガスを生成しかつ脱着装置に入り、熱交換を完了した低温再生吸着ユニットは低温端において熱再生シリーズから離脱する。
【００１９】
好ましくは、各機能モジュールの間における吸着ユニットの伝達及び変換は、吸着ユニットを各機能モジュールの間において転移させることができるユニット移動装置によって実行される。
【００２０】
また、使用される吸脱着方式は温度スイング吸着であり、吸着ユニットの吸着装置と、脱着装置と、熱再生装置との間における変換はパイプラインバルブの開閉及び切り替えによって実現される。このような場合、パイプラインバルブの開閉及び切り替えは、一連の逆止弁及び１組の切り替え弁を含むパイプライン切り替え円盤によって実現される。
【００２１】
他の好ましい実施例において、吸着装置と、再生装置と、熱回収装置とを構成する吸着ユニットは、グループ化または単独方式で動力の駆動下で１つの閉じたレールに沿って一方向間欠運動を行い、吸着床と、再生装置と、熱回収装置とはそれぞれ１つのグループを構成し、グループの変更によって、吸着セグメントの吸着床と、再生装置と、熱回収装置との間における変換を完了する。
【００２２】
好ましくは、閉じたレールは円形、長円形または角丸三角形のうちのいずれか一つの形状を有する。
【００２３】
他の好ましい実施例において、使用される吸脱着方式は温度圧力スイング吸着であり、その他の機能モジュールは循環風加熱装置と、真空脱着装置とを含み、吸着ユニットの吸着装置と、循環風加熱装置と、真空脱着装置との間における変換は、一連の逆止弁及び１組の切り替え弁を含むパイプライン切り替え円盤によって実現され、飽和吸着を完了した吸着ユニットは循環風加熱装置と真空脱着装置による二重作用で脱着を完了する。
【００２４】
他の好ましい実施例において、その他の機能モジュールは、吸着ユニット貯蔵供給装置及び吸着ユニット回収装置をさらに含み、吸着機能モジュールの動作過程において、吸着ユニット貯蔵供給装置は吸着シリーズの末端部から吸着ユニットを１つずつ加え、吸着ユニット回収装置は吸着シリーズの先端部から飽和吸着ユニットを１つずつ回収して、回収した飽和吸着ユニットを密封貯蔵し、密封貯蔵された飽和吸着ユニットが脱着装置を含むその他の機能モジュール内において脱着処理を含むプロセス処理を完了した後に生成された再生吸着ユニットは、吸着ユニット貯蔵供給装置により収納貯蔵される。
【００２５】
本発明の第２態様は、吸着濃縮法を利用して高分子コロイド状物を含む煙を処理する浄化装置に関し、ガスを処理するための吸着床と、吸着剤を再生させるための再生装置とを含み、吸着床を煙の通過する経路に沿って複数の吸着セグメントに分割し、各吸着セグメントは順に連通し、順序に応じて吸着床と再生装置との間では伝達または変換することができ、煙導入部にある吸着セグメントは開始セグメントであり、煙排出部にある吸着セグメントは終了セグメントであり、吸着床の煙導入端部は開始端部であり、吸着床の煙排出端部は終了端部である。
【００２６】
また、本発明は、さらに、吸着濃縮法による高分子コロイド状物を含む煙の処理方法に関し、使用される煙処理装置は、ガスを処理するための吸着床と、吸着剤を再生させるための再生装置とを含み、吸着床を煙の通過する経路に沿って複数の吸着セグメントに分割し、各吸着セグメントは順に連通して、順序に応じて吸着床と再生装置の間では伝達または変換することができ、煙導入部にある吸着セグメントは開始セグメントであり、煙排出部にある吸着セグメントは終了セグメントであり、吸着床の煙導入端部は開始端部であり、吸着床の煙排出部は終了端部であるＡと、
高分子コロイド状物を含む煙を連続的に吸着床に通過させ、吸着浄化過程を完了した後、煙処理装置から排出させるＢと、
開始セグメントの吸着剤の表面が高分子コロイド状物で、ある程度被覆されている場合、当該吸着セグメントを吸着装置から離脱させて、再生装置に移行させて脱着処理を行い、それと同時に吸着床の終了端部に、新たな、または再生処理された吸着セグメントを補充するＣと、
通常の温度で、吸着を完了して脱着装置に移行した吸着セグメントを脱着処理し、通常の温度での脱着処理の上に、必要な頻度で炭化再生と灰化再生を付加して行うＤと、
以上の再生処理を完了した吸着セグメントを改めて吸着床に入れるＥとの条件およびステップを含む。
【００２７】
上記方法において、ステップＤとＦの間にステップＥを増加させ、具体的には、再生ガスを再生を完了した、高温状態にある吸着セグメントを先に通過させ、その後、ガス加熱装置によって、ガスの温度をステップＤで用いた処理温度まで上昇させて、再生装置に入らせる。
【００２８】
本発明に基づくガス吸着分離装置は、吸着過程と、脱着過程と、降温と熱再生過程を含む装置の全運転過程において、吸着剤と作動ガスの間の相対運動は、いずれも化学工業分野と熱工学分野において常に用いられた、連続的かつ完全逆流の物質伝達・熱伝達過程を実現する。脱着ガスの低容量と有機汚染物質の高濃度は、さらに、それに対する火力による破壊や凝集法による回収の時のエネルギー消費を低減する。熱再生過程の完全逆流の物質伝達・熱伝達により、吸着剤の熱再生過程に消費しなければならない熱エネルギーを低減する。
【図面の簡単な説明】
【００２９】
【図１】ロータ吸着器の構成を示す概略図である。
【図２】ロータ吸着器および再生式固定床吸着器の動作過程における吸着質の濃度分布または濃度変化を示す概略図である。
【図３】本発明によるガス吸着分離装置の基本構造を示す概略図である。
【図４】脱着シリーズが設置されたガス吸着分離装置の基本構造を示す概略図である。
【図５】脱着シリーズと熱再生装置が設置されたガス吸着分離装置の基本構造を示す概略図である。
【図６】脱着シリーズと熱再生シリーズが設置されたガス吸着分離装置の基本構造を示す概略図である。
【図７】蓄熱燃焼破壊装置が設置されて機能モジュールの間の位置移動によって実現されるガス吸着分離装置の構成を示す概略図である。
【図８】図７に示されるガス吸着分離装置において、吸着ユニットの機能モジュールの間で移動することを実現するユニット移動装置の機能構成を示す概略図である。
【図９】吸着ユニット貯蔵供給装置、飽和吸着ユニット回収装置および減圧脱着装置が設置されたガス吸着分離装置の構成を示す概略図である。
【図１０】昇温脱着を集中的に処理するガス吸着分離装置の構造および運転モードを示す概略図である。
【図１１】熱再生装置が設置されたガス吸着分離装置の構造を示す概略図である。
【図１２】図１１にされる装置において、熱再生シリーズを熱再生装置とすることを示す。
【図１３】パイプライン切り替え円盤によって実現されるガス吸着分離装置の構成を示す概略図であり、ここで、温度スイング吸着方式を用いる。
【図１４】パイプライン切り替え円盤によって実現されるガス吸着分離装置の構成を示す概略図であり、ここで、温度圧力スイング吸着方式を用いる。
【図１５】本発明による鋳造による煙の段階的吸着分離装置の構成を示す概略図である。
【図１６】図１５に示される吸着セグメントが吸着床と脱着装置の間で変換する時に可動連通管路コネクタとの連携動作を示す。
【図１７】熱量回収装置が設置された鋳造による煙の段階的吸着分離装置の構造を示す概略図である。
【図１８】図１７に示される装置の別の形態である。
【図１９】図１７に示される装置の別の形態である。
【図２０】鋳造による煙処理装置の全流れの装置パイプラインを示す概略図図である。
【図２１】鋳造による煙処理の通常の吸着作業状態での関連装置パイプラインの運転を示す概略図である。
【図２２】濾過凝集表面吸着器の再生作業状態での関連装置パイプラインの運転を示す概略図である。
【図２３】鋳造による煙収集輸送パイプラインの再生作業状態での関連装置パイプラインの運転を示す概略図である。
【図２４】濾過凝集表面吸着器の取付け態様および使用方法を示す図である。
【発明を実施するための形態】
【００３０】
図３に示すように、本発明の第１態様に基づくガス吸着分離装置の基本構造は吸着機能モジュール０１とその他の機能モジュール０２を含む。その他の機能モジュール０２は脱着装置０２１を含む。吸着機能モジュール０１の主な機能部分は、２つ以上の順次配列された吸着ユニット０９で構成される吸着シリーズ０１１である。吸着シリーズ０１１は先端部０１１１と末端部０１１２を含み、処理すべきガス０８１は先端部０１１１から末端部０１１２への方向から前記吸着シリーズ０１１を通過する。先端部０１１１に位置する吸着ユニットは、吸着質ガスに対する飽和吸着を完了した後に前記吸着シリーズ０１１から離脱し、脱着装置０２１に入り、脱着処理を完了した後に末端部０１１２から改めて吸着シリーズ０１１に順に入る。吸着ユニットは、吸着剤と機械支持構造によって構成され、適切な機械的強度と良好な透過性を有する吸着固定床である。飽和吸着を完了した吸着ユニットは飽和吸着ユニット０９１と称され、脱着再生を完了した吸着ユニットは再生吸着ユニット０９２と称される。
【００３１】
具体的な応用の相違に基づいて、本発明のガス吸着分離装置が異なる吸脱着方式を用いてよく、主に温度スイング吸着、圧力スイング吸着または温度圧力スイング吸着を含む。さらに幾つかのあまり一般的ではない方式を含んでもよく、主に脱着上に異なり、例えば、マイクロ波脱着、置換脱着、抽出脱着。温度スイング吸着とは、異なる温度で吸着質に対する吸着剤の吸着能力が異なることを利用して吸着質に対する濃縮または分離を実現することを意味し、一般的に低温吸着、高温脱着である。圧力スイング吸着とは、異なる大気分圧で吸着質に対する吸着剤の吸着能力が異なることを利用して吸着質に対する濃縮または分離を実現することを意味し、一般的に高圧吸着、低圧脱着である。温度圧力スイング吸着とは、上記の両者の組み合わせを指し、一般的に低温高圧吸着、高温低圧脱着である。
【００３２】
図４に示すように、温度スイング吸着という吸脱着方式を用いる時、脱着装置０２１の主な機能部分は、２つ以上の順次配列された飽和吸着ユニット０９１で構成される脱着シリーズ０２１１であり、飽和端部０２１１１と再生端部０２１１２を含む。高温脱着ガス０８２は再生端部０２１１２から飽和端部０２１１１への方向から脱着シリーズ０２１１を通過し、濃縮吸着質ガス０８２１を生成する。飽和吸着ユニット０９１が脱着再生を完了した後、生成された再生吸着ユニット０９２は前記脱着シリーズ０２１１から離脱する。このように、高温脱着ガス０８２は脱着シリーズ０２１１を通過する時に、それに持たれている熱量を次第に吸着床の吸着剤に伝達し、吸着剤の温度が徐々に上昇し、吸着質が溢れて脱着を完了する。
【００３３】
図５〜６に示すように、脱着を完了した再生吸着ユニット０９２は高温状態にあり、吸着状態への復帰には、低温状態まで降温する必要がある。本発明のガス吸着分離装置において、その他の機能モジュール０２に熱再生装置０２２を設置することができ、熱再生装置０２２の役割は、高温状態にある再生吸着ユニット０９２に含まれる熱量を脱着ガス０８２の源ガスに伝達し、源ガスが解熱してから脱着ガス０８２を生成することである。実際の応用において、熱再生装置０２２の主な機能部分は、２つ以上の順次配列された高温再生吸着ユニット０９２で構成される熱再生シリーズ０２２１であり、高温端０２２１１と低温端０２２１２を含む。脱着を完了した、高温熱再生吸着ユニット０９２は高温端０２２１１から熱再生シリーズ０２２１に加えられ、熱再生ガス０８３は低温端０２２１２から高温端０２２１１への方向から熱再生シリーズ０２２１を通過し、定温加熱後、高温脱着ガス０８２を生成し、前記脱着装置０２１に入る。熱交換を完了した再生吸着ユニット０９２は、低温端０２２１２より熱再生シリーズ０２２１から離脱し、改めて吸着機能モジュール０１の吸着シリーズ０１１に入る。熱再生装置０２２は、１つの再生吸着ユニットのみで構成される（図５を参照）ように設置される場合、実現可能でもあるが、冷却効果が低く、熱再生効率が低い。
【００３４】
以上の温度スイング吸着原理を利用する技術的解決手段において、吸着過程と、脱着過程と、降温と熱再生過を含む装置の全運転過程において、吸着剤と作動ガスの間の相対運動は、いずれも化学工業分野と熱工学分野において常に用いられた、連続的かつ完全逆流の物質伝達・熱伝達過程を実現する。ここでの作動ガスは汚染空気と脱着ガスを含む。吸着過程の完全逆流の物質伝達は本発明の核となる技術ポイントであり、吸着を完了して脱着過程に入る吸着ユニットがこの作動条件下（主に粒子状吸着剤の粒度または固体成形吸着剤のチャネル間隔肉厚、吸着質の濃度、気流速度と温度などを含む）での飽和吸着状態にあるように確保する。ここで、「飽和」とは、一般的に動的飽和を指し、すなわち、特定の作動条件において作業効率と経済性を保証するという条件下で達成できる静的飽和に接近する相対飽和状態である。これは、主として脱着ガスの最高濃度を決定する。脱着過程の完全逆流の物質伝達・熱伝達によって脱着を完了し、まもなく改めて吸着過程に入る再生吸着ユニットがこの作動条件下（主に吸着剤の粒度またはチャネル間隔肉厚、脱着ガス気流速度と温度を含む）での十分な脱着状態にあるように確保し、それは、主に処理される汚染空気の最低排出濃度を決定する。脱着ガスの低容量と有機汚染物質の高濃度により、さらに、それによる火力による破壊や凝集法による回収時のエネルギー消費を低減する。熱再生過程の完全逆流の熱伝達により、吸着剤の熱再生過程で消費しなければならない熱エネルギーを低減する。
【００３５】
以下に具体的な実施例に合わせて本発明を詳細に説明する。
＜実施例１＞
【００３６】
図７〜８はユニット移動式ガス吸着分離装置を示す。
【００３７】
図７に示すように、この装置は、吸着装置１１と、脱着装置１２と、飽和遷移キャビティ１３と、再生遷移キャビティ１４とを含む。吸着装置１１は吸着キャビティ１１１と吸着キャビティ内に収容される吸着シリーズ１１２を含み、吸着シリーズ１１２は、先端部１１２１と、末端部１１２２と、２つ以上の吸着ユニット１１１３を含み、先端部１１２１にある、飽和吸着を完了したユニットは飽和吸着ユニット１１１３１である。
【００３８】
脱着装置１２は脱着キャビティ１２１と脱着キャビティ内に収容される脱着シリーズ１２２を含み、脱着シリーズ１２２は飽和端部１２２１、再生端部１２２２および２つ以上の脱着ユニット１２２３を含み、再生端部１２２２にある、脱着を完了したユニットは再生吸着ユニット１２２３１である。
【００３９】
吸着キャビティ１１１と脱着キャビティ１２１の両端の間は、それぞれ飽和遷移キャビティ１３と再生遷移キャビティ１４により連通し、これらの間の接続部にはそれぞれ吸着ユニットが通過可能なバルブを設置し、これらはそれぞれ１５１、１５２、１５３、１５４により示される。飽和遷移キャビティ１３と再生遷移キャビティ１４の役割は、吸着装置１１、脱着装置１２が連続的に作動させている状態で、２つのキャビティの間における吸着ユニットの輸送を完了しかつ異なる処理状態の汚染ガスが２つのキャビティの間で混ざり合うことを避けることである。断続的動作モードを用いる場合、すなわち、吸着ユニットを輸送する時、汚染ガスの処理を中止する場合、２つの遷移キャビティを取り消すことができる。
【００４０】
この実施例の吸着と脱着は、温度スイング吸着の方式を用いる。
【００４１】
このガス吸着分離装置が動作する時、吸着キャビティ１１１と脱着キャビティ１２１にはいずれも吸着ユニットで満たされ、大流量の処理すべきガスは吸着シリーズ１１２の先端部１１２１から末端部１１２２まで吸着キャビティ１１１の内部に位置する吸着シリーズ１１２を貫通する。先端部１１２１に位置する吸着ユニットは飽和吸着に達すると、吸着キャビティ１１１と飽和遷移キャビティ１３の間に位置するバルブ１５１が開き、機械装置はこの飽和吸着ユニット１１１３１を飽和遷移キャビティ１３に押し込む。そして、バルブ１５１が閉じ、機械装置は吸着シリーズ全体を先端部に押す。脱着キャビティ１２１と再生遷移キャビティ１４との間のバルブ１５３が開き、機械装置は再生端部１２２２に位置する再生吸着ユニット１２２３１を再生遷移キャビティ１４に押し込む。すると、バルブ１５３が閉じ、機械装置は脱着キャビティ１２１における脱着シリーズ１２２を再生端部１２２２に押し、脱着キャビティ１２１の飽和端部に場所を空ける。飽和遷移キャビティ１３と脱着キャビティ１２１の間のバルブ１５２が開き、機械装置はこの飽和吸着ユニット１１１３１を脱着キャビティ１２１に引き込む。飽和遷移キャビティ１３と吸着キャビティ１１１の間のバルブ１５４が開き、機械装置は再生遷移キャビティ１４における再生吸着ユニット１２２３１を吸着キャビティ１１１に引き込む。以上の順で、吸着ユニットは４つのキャビティ内において循環して移動する。
【００４２】
全過程において、小流量の高温脱着ガスは、連続的に飽和端部から再生端部まで脱着キャビティ１２１の内部に位置する脱着シリーズ１２２を通過する。このガス吸着分離装置において、処理すべきガスと高温脱着ガスの流量比は１０：１−５０：１以上となることができる。高温脱着ガスに含まれる有機汚染物質は燃焼に適しておりかつ回収価値が高くない成分であれば、通常、燃焼破壊装置に送られて破壊される。例えば、図７において蓄熱式燃焼器１８の構造を示す。脱着ガスの発熱量と有機物可燃性性によっては、燃焼破壊装置はさらに、直接燃焼器、触媒燃焼器または蓄熱式触媒燃焼器であってもよい。脱着ガスの発熱量が十分に高い場合、有機汚染物質の燃焼破壊過程は、さらに脱着ガスを加熱するための熱量を供給することができる。これは本発明による技術的改良の最終的な目的の１つでもある。
【００４３】
吸着ユニットの４つのキャビティ間における輸送は一連の常用の動力機械装置を介して自動的に完成できる。図８に示すように、この実施例において、４つの油圧または空気圧式のプッシュロッドを用いてよく、ここで、吸着ユニットを吸着キャビティまたは脱着キャビティの内部において運動させるように押すためのプッシュロッドはそれぞれ１８１−１と１８１−２である。吸着ユニットを吸着キャビティ、脱着キャビティ、飽和遷移キャビティと再生遷移キャビティの間で運動させるように押したり、引っ張ったりするプッシュプルロットはそれぞれ１８２−１、１８２−２、１８２−３と１８２−４である。
【００４４】
図８において遷移キャビティと吸着キャビティ、脱着キャビティの間のバルブは両開きの回転ドアで模式的に示し、本実施例において、実際に応用されるものは油圧または空気圧式のゲートバルブであり、図中、１５１−１、１５２−１、１５３−１と１５４−１で示される。
＜実施例２＞
【００４５】
図９〜１０はユニット供給および回収式ガス吸着分離装置を示す。
【００４６】
実施例２に示されるガス吸着分離装置に対応する具体的な応用の重要な条件の１つは、処理すべき排ガスの流量と有機汚染物質の濃度が基本的に安定的であことであり、その理由としては、熱脱着は排ガス中の有機汚染物質を発熱燃料として利用して、基本的に安定的な高温環境を保持しなければならないためである。排ガスが断続的に排出される場合、または流量、濃度の変動が非常に大きい場合、脱着過程に悪影響を与え、それで、一般的に、追加の燃料を添加して補充する必要がある。実施例２に開示されるユニット供給および回収式ガス吸着分離装置は見事にこのような状況に適することができる。
【００４７】
ユニット供給および回収式ガス吸着分離装置の具体的な解決手段として、ガス吸着分離装置の吸着装置１１と脱着装置１２を二つの独立の部分に分け、吸着ユニット供給装置１６１と吸着ユニット回収装置１６２を含む吸着ユニットリサイクル装置１６を追加し、吸着ユニットリサイクル装置１６の機械構造は、連続射撃可能な銃器のマガジン構造を参照してよい。吸着装置１１における、吸着シリーズの先端部に位置して既に飽和吸着を完了した飽和吸着ユニット１９１を、機械装置を用いて、バルブを介して吸着キャビティに接続される、密閉された吸着ユニット回収装置１６２に移行させ、バルブを介して吸着キャビティに接続される吸着ユニット供給装置１６１から吸着キャビティに新たな、または再生を完了した吸着ユニット１９２を補充する。吸着ユニット回収装置には飽和吸着ユニットで満たされた後、単独の脱着装置１２に移行して飽和吸着ユニットに対して脱着処理を行う。図９に示すように、脱着装置は、分離された有機汚染物質を回収するために、真空ポンプ１９４、圧縮凝析装置１９５と貯蔵装置１９６に接続されてよい。図１０に示すように、複数のガス吸着装置で発生した、飽和吸着ユニットで満たされた吸着ユニット回収装置を１つの脱着装置に集中してもよく、熱脱着方式で連続脱着処理を行う。要するに、脱着装置は熱脱着、減圧脱着、熱減圧脱着と置換脱着などの任意の適切な脱着方式を用いてよい。
＜実施例３＞
【００４８】
図１１〜１２は熱再生ガス吸着分離装置を示す。
【００４９】
実施例１に示されるガス吸着分離装置において、脱着を完了した再生吸着ユニットは遷移キャビティを介して再生キャビティに入って吸着シリーズに加えられる時に依然として高温状態にある。既にほぼ吸着を完了した大流量の汚染空気がその熱量を迅速に持ち去りかつ吸着過程に対して大きな影響を与えることがないが、システムの熱エネルギーの損失を引き起こし、これは、この装置を発明する目的の１つであるエネルギー消費の低減に一定の悪影響を与える。
【００５０】
図１０に示すように、この技術欠陥を解決する技術的解決手段は、熱再生装置１７で実施例１における再生遷移キャビティ１４を代替し、高温再生吸着ユニットに含まれる熱量を再生ガスで運んで吸着シリーズに伝達することである。具体的には、遷移キャビティの左右の両側にそれぞれ吸気口１７２と排気口１７３を設置し、空気フィルター１７４によって濾過された空気は、熱再生装置１７の内部に位置する再生吸着ユニットを貫通し、さらにファン１７５によって加圧され、熱交換器１７６によって加熱され、脱着キャビティ１２１に入る。
【００５１】
図１１に示すように、熱再生装置の熱再生効率をさらに向上させるために、熱再生装置内には熱再生シリーズ１７１が設置されてよい。熱再生シリーズ１７１は２つ以上の再生吸着ユニットを含み、高温端１７１１と低温端１７１２を含む。高温端１７１１はバルブを介して脱着キャビティ１２１の再生端部１２１２に連通する。低温端１７１２はバルブを介して吸着キャビティ１１１の末端部１１１２に連通する。
【００５２】
吸着ユニットの運動伝達方式は実施例１を参照してよい。
＜実施例４＞
【００５３】
図１２は回転盤式温度スイング吸着によるガス吸着分離装置を示す。
【００５４】
本実施例は、１つのパイプライン切り替え円盤と一連の逆止弁で実施例３の吸着ユニット輸送機械装置を代替し、同様に空気汚染物質の飽和吸着と、吸着シリーズと、解吸着シリーズを実現することができ、必要に応じて熱再生シリーズを含んでもよく、その中の吸着剤と作動ガスの間は完全逆流の物質伝達と熱伝達過程である。
【００５５】
この装置は、動力駆動下で断続的に回転可能な回転ベース２１を含み、回転方向は時計回りであり、円盤上のある点に対し、その時計回りの方向に位置する他の点を順側、反時計回りの方向の他の点を逆側とする。６つの固定床吸着器２２−１、２２−２、２２−３、２２−４、２２−５と２２−６は中心対称に回転ベース２１に固定され、パイプラインを介して連通して閉じたリングとなり、固定床吸着器に接続されるパイプラインの各部分の間に開閉を自動制御可能な逆止弁２３が設置され、各固定床吸着器において順側と逆側の両端にそれぞれ回転ベース２１の外周につながる切り替え管２４を設置し、合計１２本があり、切り替え管２４の外端部に切り替え逆止弁の回転部２５１を設置する。回転ベース２１以外に地面に固定される６つの切り替え逆止弁の固定部２５２を設置する。回転部２５１と固定部２５２で構成される完全な切り替え逆止弁２５は、回転切り替えと逆止開放という２つの機能を有し、回転ベースに設置された独立の逆止弁とそれぞれ回転ベースと地面に設置された２つの部分で構成される切り替え弁で代替してもよい。回転弁の構造は市販の回転四方向ステアリングバルブを参照してよく、差異は４つの通路の間の切り替えから複数の通路の切り替えに変換されることであり、回転部はそれに対応する固定部がなくなるように回転すると、固定部に相当する位置にも一つの閉塞装置でそれを密閉する。
【００５６】
６つの固定床吸着器は３組に分割され、ここで、２２−１、２２−２と２２−３は吸着組であり、２２−４と２２−５は脱着組であり、２２−６は熱再生組である。切り替え逆止弁の固定部２５２の番号は固定床吸着器の番号に対応し、順側は２５２−ＸＡとし、逆側は２５２−ＸＢとし、Ｘは固定床吸着器の順序番号である。汚染空気供給管２６１は切り替え逆止弁の固定部２５２−３Ａに連通し、処理された汚染空気排出管２６２は切り替え逆止弁の固定部２５２−１Ｂに連通し、再生空気供給管２６３は切り替え逆止弁の固定部２５２−６Ａに連通し、脱着空気加熱管の抽出、導入の両端２６４、２６５はそれぞれ切り替え逆止弁の固定部２５２−６Ｂと、切り替え逆止弁の固定部２５２−５Ａに連通し、脱着ガス排出管２６６は切り替え逆止弁の固定部２５２−４Ｂに連通する。吸着組の３つの固定床吸着器の間と脱着組の２つの固定床吸着器の間において、合計３つの逆止弁が開き、他の各組の間の３つの逆止弁が閉じる。脱着ガス排出管は蓄熱燃焼炉２７の吸気管２７１に連通し、蓄熱燃焼炉２７の煙排出管２７２は処理された汚染空気排出管２６２と共流して煙突（図示せず）に連通する。
【００５７】
動作時、汚染空気は汚染空気供給管２６１から入り、３つの吸着組の固定床吸着器２２−３、２２−２と２２−１を順次通過し、処理を経た後、汚染空気排出管２６２から排出される。再生空気は再生空気供給管２６３から入り、熱再生組の固定床吸着器２２−６を通過し、蓄熱燃焼炉２７によって加熱され、さらに脱着組の固定床吸着器２２−５と２２−４を通過し、脱着ガス排出管２６６から排出され、蓄熱燃焼炉２７に導入され、その中に含まれる有機汚染物質を燃焼破壊し、煙排出管２７２を経由して処理された汚染空気と共流して煙突によって高空の大気中に排出される。運転中に、一定の作動時間を経過することまたはこの装置が一定の量の有機汚染物質を受け入れることで、固定床吸着器２２−３の吸着能力は飽和に達し、回転ベース２１は６０°回転し、吸着器は改めてグルーピングする。
【００５８】
１つの固定床吸着器は６ステップの変換によって全体の処理サイクルを完了し、隣接する２回の変換動作ごとの間の時間は１つの処理区間と称される。
【００５９】
固定床吸着器が吸着シリーズに入った後、２つの処理区間を経て２回の変換により吸着シリーズの末端部から先端部に移動し、続いて１つの処理区間を経て飽和吸着を完了し、３回目の変換後、昇温脱着シリーズの飽和端部に入り、１つの処理区間を経た後、４回目に変換されて、昇温脱着シリーズの再生端部に入り、さらに１つの処理区間を経た後、５回目に変換されて、熱再生区間に移動し、熱再生区間は１つのみがあり、完了後、再び変換されて次の循環に入る。
＜実施例５＞
【００６０】
図１２は回転盤式温度圧力スイング吸着によるガス吸着分離装置を示す。
【００６１】
実施例４に示される回転盤式温度スイング吸着によるガス吸着分離装置は、下記２種類の具体的な応用に対応する場合、以下の制限性を有する。
【００６２】
一つ目に、汚染空気中に燃焼法による破壊に適しない有機汚染ガスが含まれ、例えば、硫黄、リン、ハロゲン元素が多く含まれ、またはベンゼン核と塩素元素が同時に含まれる場合、これらのガスを燃焼させた後、二次汚染物質を生成する。
【００６３】
二つ目に、汚染物質中に十分な量の高価値の有機汚染ガスが含まれ、回収価値を有する。
【００６４】
本実施例は、温度圧力スイング吸着法を利用して空気汚染を除去し、同時に有機汚染物質を回収するガス吸着回収装置を開示する。
【００６５】
この装置の汚染空気吸着組は、実施例４に示される装置に類似し、１つの処理区間のみを追加し、装置の主な差異は、熱再生組の除去と、脱着領域の地面固定装置の機能設定の変更である。この装置の脱着組は循環風加熱区間と真空脱着区間という２つの処理区間を含む。循環風加熱区間に対応する装置は、熱風炉２９１と、ファン２９２と、減圧弁２９３を含む。真空脱着区間に対応する地面固定装置は、絞り弁２９７と、真空ポンプ２９４と、コンデンサ２９５１と、液体貯蔵タンク２９６である。
【００６６】
熱風炉２９１と、ファン２９２とが直列された後、両端はそれぞれ切り替え逆止弁２５を介して循環風加熱区間の固定床吸着器２２の両端の切り替え管２４に連通する。真空ポンプ２９４と絞り弁２９７はそれぞれ切り替え逆止弁２５を介して真空脱着区間の固定床吸着器２２の両端の切り替え管２４に連通する。減圧弁２９３は循環風加熱区間と真空脱着区間の間のパイプラインに連通する。真空ポンプの後ろには順にコンデンサ２９５と液体貯蔵タンク２９６が接続される。コンデンサ２９５の液体排出口は液体貯蔵タンク２９６に接続され、凝縮ガス排出口は汚染空気供給管２６１に連通する。
【００６７】
固定床吸着器は飽和吸着を完了した後、循環風加熱区間に回転し、熱風炉とファンによって加熱されて、吸着床の温度が徐々に上昇し、吸着剤から放出された有機汚染物質ガスとガスの熱膨張と共に、パイプライン内の気圧を上昇させる傾向があり、ガスは減圧弁によって減圧された後、真空脱着区間の固定床吸着器によって排出されたガスと共に真空ポンプに入る。固定床吸着器は循環風加熱を完了した後、真空脱着区間まで回転し、真空ポンプによる低気圧で引き続き有機汚染物質ガスを放出し、真空脱着がほぼ完了する時に絞り弁で制御されながら少しの空気が導入され、さらに残された有機汚染物質ガスがフラッシングされる。真空ポンプから排出された、有機汚染物質ガス含有の混合ガスは、コンデンサによって、有機汚染物質液体を分離して、液体貯蔵タンクに流入し、収集と貯蔵を完了する。コンデンサから排出された凝縮ガス内は少しの有機汚染物質を含む可能性があり、その場合、それを汚染空気注入管に導入し、循環して吸着浄化する。
【００６８】
本発明を利用する具体的な応用は、吸着濃縮法を用いて本発明に基づくガス吸着分離装置を利用し、高分子コロイド状物を含む煙を処理することである。
【００６９】
吸着濃縮法は段階的吸着床を用いる。使用される煙処理装置は、ガスを処理するための吸着床と、吸着剤を再生させるための再生装置を含み、吸着床を煙の通過する経路に沿って複数の吸着セグメントに分割し、各吸着セグメントは順に連通し、順序に応じて吸着床と再生装置の間では伝達または変換が可能であり、煙導入部にある吸着セグメントは開始セグメントであり、煙排出部にある吸着セグメントは終了セグメントであり、吸着床の煙導入端部は開始端部であり、吸着床の煙排出端部は終了端部である。
【００７０】
開始セグメントの吸着剤表面が高分子コロイド状物によってある程度被覆されている場合、吸着セグメントを吸着装置から離脱し、脱着装置に移行して脱着処理を行い、同時に吸着床の終了端部に、新たな、または再生処理された吸着セグメントを補充する。
【００７１】
通常の温度で、吸着を完了して脱着装置に移行した吸着セグメントを脱着処理し、通常の温度での脱着処理の上、必要な頻度で炭化再生と灰化再生を付加する。
【００７２】
煙が吸着床に入る前に、濾過凝集表面吸着器で前処理を行う。濾過凝集表面吸着器は煙収集パイプラインの入口部に設置されてよい。濾過凝集表面吸着器は耐高温材料を用いる。煙収集パイプラインには耐高温断熱材料ライニングが設置されてよい。煙収集パイプラインはループ状パイプラインを形成することができる構造に設置される。
【００７３】
濾過凝集表面吸着器と、煙収集パイプラインと、吸着床は、一般的な高温脱着法と被制御炭化灰化法を組み合わせて、凝集吸着した高分子コロイド状物を除去するように処理を行う。
【００７４】
被制御炭化灰化法の技術的意味のポイントは、処理過程において、局所の高温が発生して濾過凝集表面吸着器、煙収集パイプラインと吸着床を破壊することを回避することである。具体的なやり方として、、緩慢昇温の熱空気加熱または急速な不活性ガス加温と被制御酸化ガスの緩慢遅延導入との組み合わせを用いてもよい。
【００７５】
以下に処理方法を詳細に説明する。
【００７６】
吸着濃縮法は、現在、排ガス処理分野において、低濃度、大風量のＶＯＣ排ガスを処理する常用の方法であり、動作原理に基づいて、圧力スイング吸着、温度スイング吸着および両者の組み合わせに分けられてよい。本発明は、主にそのうちの温度スイング吸着の原理を利用する。作用過程は吸着過程と脱着過程を含み、吸着過程には、吸着剤は排ガスにおけるＶＯＣ成分を選択的に吸収し、一部の水蒸気成分と少しその他のガス成分をさらに含む可能性があり、ここで、排ガスにおけるその他の主成分は浄化後のクリーン排ガスとして大気中に排出される。
【００７７】
脱着過程において、加熱（一般的に熱蒸気、熱空気または熱い不活性ガスを用いる）によって吸着剤の温度を上昇させ、吸着過程に吸収したＶＯＣ成分を放出する。一般的に脱着で生成された濃縮排ガスのＶＯＣ濃度は源となる排ガスの１０倍から３０倍である。
【００７８】
本発明で処理すべき鋳造による煙と類似する工業排ガスには、高分子かつ高沸点の有機物成分が含まれ、上記吸着過程において、コロイド状物の形で吸着剤粒子の表面または大きな隙間内に堆積するので、吸着剤による排ガス中の低分子の悪臭ガス分子に対する吸着を阻止する。常温の脱着過程において、これらの高分子かつ高沸点の有機物は完全に揮発して除去されない。より高い脱着温度、例えば、炭化温度となる４００〜５００℃の場合、これらの高分子かつ高沸点の有機物の一部はさらに、一層耐高温のコーキングまたはカーボンデポジットを生成し、幾つかの吸脱着の循環を経た後、これらのコーキングまたはカーボンデポジット成分の堆積も吸着剤表面を被覆して吸着剤の孔を閉塞し、吸着剤の吸着能力が深刻に低下することを引き起こす。
【００７９】
より高い灰化温度でコーキングまたはカーボンデポジットを処理してよいが、従来の一般的な吸着濃縮装置は、より高温度の運転をサポートしない。しぶしぶ従来の構造に基づいて、より高いレベルの耐高温材料を使用して装置を改造しても、装置の製造コストとランニングコストは商業的に受け入れられない。
【００８０】
本発明の鋳造による煙の処理方法および対応する装置は、これらの問題に対して比較的完璧な解決策を提供する。
【００８１】
ガスを処理する吸着床をガスの通過する経路に沿って複数の吸着セグメントに分割し、各吸着セグメントは吸着床と脱着装置の間で伝達または変換することができ、煙導入部にある吸着セグメントは開始セグメントであり、煙排出部にある吸着セグメントは終了セグメントであり、吸着床の煙導入端部は開始端部であり、吸着床の煙排出端部は終了端部である。
【００８２】
開始セグメントの吸着剤表面が高分子コロイド状物によってある程度被覆されている場合、この部分の吸着床を吸着床から離脱させ、脱着装置に移行して脱着処理を行い、同時に吸着床の終了端部に、新たなまたは再生処理された吸着セグメントを補充する。
【００８３】
本明細書において、用語「ある程度」の意味は、具体的な応用において、吸着装置に入った煙中に高分子コロイド状物の含有量が高く、低分子の悪臭成分の含有量が少ない場合、「ある程度」は、高分子コロイド状物が開始セグメントの吸着剤表面を被覆する程度がより深刻であることを意味する。逆に、低分子の悪臭成分の含有量が多く、吸着装置を通過する時に全体の吸着床を貫通しやすくなり、「ある程度」とは、高分子コロイド状物が開始セグメントの吸着剤表面を被覆する程度が軽微な程度に抑えることを意味する。
【００８４】
脱着処理は、通常温度脱着と、その上で付加される炭化再生と灰化再生を含む。
【００８５】
用語「付加」の意味は、通常温度脱着を完了した後、温度を炭化温度または灰化温度まで上昇させて必要な時間保持することである。通常温度で脱着した後に吸着剤がコーキングする程度で一回或いは数回の通常温度下の脱着ごとに一回の炭化再生を付加することができる。同様に、炭化再生後の吸着剤のカーボンデポジットの程度に基づいて、一回または数回の炭化再生ごとに１回の灰化再生を付加する。炭化再生は、酸化雰囲気中で行ってよく、不活性ガス雰囲気中で行ってもよく。灰化再生は、酸化雰囲気中でしか行われない。
【００８６】
用語「不活性ガス」は、窒素ガス、二酸化炭素などの、高分子有機物と酸化反応して燃焼することのない非助燃ガスであり、これらは化学上でのヘリウムなどのゼロ族元素ガスの概念と異なる。本明細書では、炭化温度３５０〜５５０℃、灰化温度５５０〜８２５℃と定義される。吸着床に用いた吸着剤と関連するパイプライン装置は上記の温度に耐えられる必要がある。操作過程において、吸着床の温度は、吸着剤と関連するパイプライン装置の耐容温度以下に抑えるべきである。
【００８７】
脱着時に吸着床の全床層にして全体的に脱着を行う従来のロータ吸着器または再生式固定床吸着器に比べ、段階的高温脱着方法および対応する装置の利点は、多くの高分子有機物が蓄積された吸着床の開始セグメントのみに対する高温脱着と高温再生を行い、処理装置の耐高温の部分の体積を減少させ、装置の製造コストを低減させ、燃料消費を減少させることができ、さらに吸着剤を高温に加熱する回数を減少させ、吸着剤の耐用年数を比較的延ばすことができることである。これは、高分子有機物が吸着床に堆積される部位は主に段階的吸着床の開始セグメントに集中し、しかも、主に吸着剤の表面に堆積されるためである。吸着セグメントは、吸着床の終了端部から開始端部に向かって移動する過程に、ます、吸着剤によって吸着されにくい悪臭ガスの成分を吸着し、最後にその表面によって高分子有機物を吸着し、このように、吸着剤の煙中の異なる悪臭ガスの成分に対する吸着能力を十分に利用している。
【００８８】
吸着装置に入る高分子有機物を減少させるために、煙収集パイプラインに濾過凝集表面吸着器を設置してよい。
【００８９】
さらに、濾過凝集表面吸着器を、煙収集パイプラインの各煙が発生する鋳込み作業箇所および鋳物冷却伝送通路に対して設置された入口部に設置してもよい。このように、高分子コロイド状物が滴下して火災を引き起こすという問題を解決することができる。濾過凝集表面吸着器は２層設置されてよく、その意味は後述で説明する。
【００９０】
耐高温の無機濾過材料および支持フレームで濾過凝集表面吸着器を製造することができ、濾過物は具体的に、ステンレス鋼線、ガラス繊維、セラミック繊維およびこれらの組み合わせを用いてよい。このような材料を使用する利点は、高分子有機物を吸収した後に着火されにくいことと、被制御炭化灰化法で処理して凝集吸着された高分子コロイド状物を除去できることを含む。
【００９１】
具体的な方法は、濾過凝集表面吸着器を耐高温の密閉空間に置き、不活性高温ガスでそれを加熱することによって、その中に吸着された高分子有機物を揮発させ、気流によって燃焼装置に運んで破壊することである。揮発しにくい部分は高温で炭化し、その後、引き続き不活性高温ガスの温度を上昇し、その中に制御下で酸素ガス成分を加えることで、濾過物におけるコーキングまたは炭化した高分子有機物の残り成分を除去する。
【００９２】
理論上、以上の過程において空気を用いてもよいが、昇温過程の制御が容易ではなく、局所的に昇温し速すぎ、局所のホットスポットを形成し、高分子蓄積物の自燃を引き起こし、濾過凝集表面吸着器と輸送パイプラインおよび装置を破壊するなどの問題を引き起こす。
【００９３】
濾過凝集表面吸着器の再生炉の積極的な意義は、濾過凝集表面吸着器のフィラーの交換コストと環境に対する二次汚染を回避することができることである。
【００９４】
濾過凝集表面吸着器による高分子コロイド状物の濾過と凝集は容易に理解できる。高分子有機物が金型鋳込みの高温環境から離れた後、大部分は空気中で迅速に液状に冷却され、そのうち一部が目で見えられる煙のような液滴に凝集され、これらの煙のような液滴が濾過物を通過する時に比較的捕獲されやすく、そのほかは目で見られない微小液滴または分散分子として存在し、このとき、非常に濾過物を通過やすい。濾過物がこの部分の高分子有機物を捕獲するために、濾過物表面とこれらの高分子有機物との親和能力が必要であり、このような親和能力は実際に表面吸着能力である。濾過物の材料表面の化学的特性はこれらの高分子有機物に類似すれば類似するほど、表面吸着能力が強い。ただし、濾過物の再生能力を考慮に入れると、濾過物は高温に弱い有機材料を用いてはならない。代替の方法として、煙が濾過物を通過する時に濾過材料表面にゆっくり堆積することによって、濾過物の材料表面を被覆するように堆積すると、優れた吸着表面になる。しかし、高分子有機物が過剰に堆積する場合、濾過物の閉塞を引き起こし、火災も引き起こしやすい。
【００９５】
分離可能な２層以上の濾過装置を設置する目的は、過剰に堆積された高分子有機物の表面層濾過装置のみを除去し、既存の適量に堆積された深層濾過装置のみを保留し、これらを表面層に置き換えて、新たな、または再生された濾過装置を深層の濾過位置に取り付けることを可能にすることである。
【００９６】
煙収集パイプラインには濾過凝集表面吸着器が設置されるが、依然として一部の高分子有機物が透過してパイプラインに蓄積される。それが過剰に蓄積されることを防ぐために、煙収集パイプラインをループ状パイプラインを形成できる構造にし、管腔内に耐高温の断熱材料ライニングを設置することができ、濾過凝集表面吸着器の処理に類似する方法でパイプライン内における高分子コロイド状物を除去する。
【００９７】
以下に実施例を通して上記応用をさらに説明する。
【００９８】
＜実施例６＞：鋳造による煙の段階的吸着分離装置
【００９９】
図１５に示すように、この装置は吸着床Ｃと再生装置Ｄを含む。吸着床Ｃは開始端部Ｃ１と終了端部Ｃ２を含む。吸着床Ｃは複数の分離可能な吸着セグメントＸに分割され、開始端部に位置する吸着セグメントは開始セグメントＣＸ１と称され、終了端部に位置する吸着セグメントは終了セグメントＣＸ２と称される。
【０１００】
再生装置Ｄは再生端部Ｄ１と濃縮側Ｄ２を含む。吸着床Ｃの再生装置Ｄは２つの切り欠き付きの環状構造を形成し、吸着床Ｃの開始端部Ｃ１は再生装置Ｄの濃縮側Ｄ２に隣接する。この環状構造を構成する各吸着セグメントＸは、動力駆動下で、中空の円弧状の矢印による指示方向に沿って環状レールで順次間欠的に運動し、グループを変えることで吸着床Ｃと再生装置Ｄとの間における変換を完了する。
【０１０１】
図１６に示すように、吸着床Ｃと再生装置Ｄにそれぞれ連通管路可動コネクタＨを設置する。吸着セグメントはグループを変える場合、これらの可動コネクタＨは接続される吸着床Ｃと再生装置Ｄから離脱してレール位置を離れ、吸着セグメントはグループ化を完了した後、元の接続に復帰する。
【０１０２】
グルーピングの概念は列車運転の操作モードを転用するものである。
【０１０３】
図１５〜１６に示すように、この装置が動作する時、ＶＯＣを含む煙は開始端部Ｃ１から入って終了端部Ｃ２から排出され、高温脱着ガスは再生端部Ｄ１から入って濃縮側Ｄ２から排出される。この装置に接続される周辺装置は、源となる汚染空気輸送パイプラインＷＧと、ファンＰ１と、ＶＯＣ熱破壊装置ＴＯと、ガス加熱装置Ｐ２と、脱着ガス供給装置Ｐ３と、煙排出用煙突Ｐ４を含み、これは一般的な温度スイング吸着ＶＯＣ濃縮装置と同じである。
【０１０４】
＜実施例７＞：熱回収装置が設けられた鋳造による煙の段階的吸着分離装置。
【０１０５】
図１７〜１９に示すように、実施例６の基礎に、吸着床Ｃの終了端部と再生装置Ｄの再生端部の間に１つの熱回収装置Ｅを追加し、吸着床Ｃの終了端部Ｃ２に隣接する低温端Ｅ１と、再生装置Ｄの再生端部Ｄ１に隣接する高温端Ｅ２とを含み、同様に複数の吸着セグメントＸを含む。脱着ガスは低温端Ｅ１から熱回収装置Ｅに入って高温端Ｅ２から排出され、ガス加熱装置Ｐ２によって脱着温度に加熱された後、再生装置Ｄに入る。改良後、吸着セグメントの運動とグルーピング変更方式は実施例６に類似する。
【０１０６】
実施例７の積極的効果は、脱着を完了した、高温状態にある吸着剤に含まれる熱量を回収し、降温過程において残存する有機汚染物質ガスをさらにフラッシングすることができる。
【０１０７】
図１７は円環状のレールを用いる様子を示し、その利点は、構造が簡単であり、吸着セグメントがグループを変える時、移動距離が小さいことである。その欠点は、装置全体の占用面積が大きくかつ調整不可であることである。
【０１０８】
図１８は長円形レールを用いる様子を示し、その利点は、装置が長方形であり、面積を節約しかつ調整しやすく、吸着セグメントは円筒型であり、作動ガス流を均一に保持しやすいことである。その欠点は、吸着セグメントがグループを変える時、移動距離が大きいことである。
【０１０９】
図１９は角丸三角形レールを用いる様子を示す。プロセスに応じて、吸着床Ｃと、脱着装置Ｄと、熱回収装置Ｅはほぼ同じ吸着セグメントの数を用いる必要がある場合、このようなレール態様を用いてよい。
【０１１０】
＜実施例８＞：鋳造による煙処理装置の全流れシステム配置
【０１１１】
図２０に示すように、鋳造工場で樹脂モールド鋳込みで発生する煙を処理するための現場モデルに基づいて設置される鋳造による煙処理装置全流れシステムを示し、このシステムは、Ａ領域である処理装置配置領域と、Ｂ領域である収集パイプラインおよび濾過凝集表面吸着器配置領域を含む。
【０１１２】
システムをさらに簡単にするために、鋳造による煙処理装置は実施例６の簡単な構造を用い、実際に実施例７の構造を用いるとさらに実用的である。当該技術分野において、これらの間の変換は当業者にとって容易なものである。
【０１１３】
図中、パイプラインにおいて輸送パイプラインＰ６を示す実線と重なる実線の矢印は、煙処理過程におけるガスの流動方向を示し、実線に平行な中空矢印は、濾過凝集表面吸着器Ｐ５と汚染ガス収集輸送パイプラインＰ６における高分子有機物蓄積物を除去する高温再生過程に高温ガスの流動方向を示す。
【０１１４】
濾過凝集表面吸着器Ｐ５は、鋳込み工場の各ワークステーションに分散しまたは集中し、これらと輸送パイプラインＰ６の間には異なる部位における気流を均一に制御するための絞り弁Ｐ７が設置される。
【０１１５】
図２１に示すように、輸送パイプラインＰ６はダブルパイプのループ状に設計され、汚染ガスの通常の収集と処理作業を行う時、パイプラインはダブルパイプループによる平行輸送となっている。
【０１１６】
図２２に示すように、輸送パイプラインの高温再生時、各絞り弁Ｐ７と、輸送パイプラインと吸着濃縮装置の間の逆止弁Ｐ９を閉じ、輸送パイプラインは環状通路を形成する。再生作業を開始する時、逆止弁Ｐ１０と、空気源逆止弁Ｐ１１と、酸素源逆止弁Ｐ１２を閉じ、窒素ガス源逆止弁Ｐ１３を開き、窒素ガスがパイプラインに入って排管路内の空気を排出する。逆止弁Ｐ１０を開き、ガス加熱装置Ｐ２を起動し、輸送パイプライン全体を加熱する。
【０１１７】
その間、パイプライン内に窒素ガスを連続的に補充し、絞り弁Ｐ８とパイプライン圧力を制御し、余分なガスが蓄熱酸化焼却炉ＲＴＯによって処理された後、煙突Ｐ４によって排出される。
【０１１８】
パイプラインにおいて適切な温度、例えば、４５０〜６５０℃に上昇する場合、排出されたガスの発熱量は安全数値まで低下し、例えば、ＲＴＯ自立燃焼を維持することができない時、酸素源逆止弁Ｐ１２を開き、パイプ内に酸素ガスをゆっくり注入し、高温下で酸化によってパイプにおけるコーキングとカーボンデポジットを除去し、最後に窒素ガス、酸素源とガス加熱炉を閉じ、空気源逆止弁Ｐ１１を開き、空気を導入することによってパイプラインを冷却し、輸送パイプラインの高温再生過程を終了することができる。
【０１１９】
図２３に示すように、Ｐ１４は濾過凝集表面吸着器再生炉を示す。再生炉Ｐ１４は耐熱保温キャビティであり、両端はガス加熱装置Ｐ２を含む高温再生の輸送パイプラインに接続され、高分子有機物が蓄積された濾過凝集表面吸着器をキャビティの内部に置き、輸送パイプラインの高温再生に類似する流れを用いて濾過凝集表面吸着器の高温再生を行うことができる。
【０１２０】
図２４に示すように、濾過凝集表面吸着器Ｐ５が濾過吸着位置と再生炉Ｐ１４の間に循環して回す過程を示し、この図中、Ｐ７は絞り弁で、Ｐ１６はガス捕集フードで、Ｐ６は煙輸送管である。
【図１】
2021529088.tif 000003
【図２】
2021529088.tif 000004
【図３】
2021529088.tif 000005
【図４】
2021529088.tif 000006
【図５】
2021529088.tif 000007
【図６】
2021529088.tif 000008
【図７】
2021529088.tif 000009
【図８】
2021529088.tif 000010
【図９】
2021529088.tif 000011
【図１０】
2021529088.tif 000012
【図１１】
2021529088.tif 000013
【図１２】
2021529088.tif 000014
【図１３】
2021529088.tif 000015
【図１４】
2021529088.tif 000016
【図１５】
2021529088.tif 000017
【図１６】
2021529088.tif 000018
【図１７】
2021529088.tif 000019
【図１８】
2021529088.tif 000020
【図１９】
2021529088.tif 000021
【図２０】
2021529088.tif 000022
【図２１】
2021529088.tif 000023
【図２２】
2021529088.tif 000024
【図２３】
2021529088.tif 000025
【図２４】
2021529088.tif 000026
【国際調査報告】
2021529088.tif 000027
2021529088.tif 000028
2021529088.tif 000029
2021529088.tif 000030